(57)【要約】【課題】メガネフレームとレンズとを組み合わせた後、鼻パッドによりレンズと眼鏡フレームとの組合せを固定することができる眼鏡鼻パッドアセンブリ構造を提供する。【解決手段】眼鏡鼻パッドアセンブリ構造は、眼鏡フレーム１及び鼻パッド２を備える。眼鏡フレーム１のブリッジ１１は、上ブリッジ１２及び下ブリッジ１３を有する。ブリッジ１１の中央部分に係止孔１５が設けられている。鼻パッド２の両側には、眼鏡フレーム１の係止孔１５に嵌挿させる係合部２１が設けられている。係合部２１には、係止孔１５の外壁面に当接される係合片２１１が突設されている。鼻パッド２の両側に設けられた係合部２１の下方には、パッド固定部２２が設けられている。このパッド固定部２２には、下ブリッジ１３の底縁に当接させる弧状突設部２２１が設けられている。【選択図】図１
0003171876.tif 000002
【実用新案登録請求の範囲】
【請求項１】
眼鏡フレーム及び鼻パッドを備える眼鏡鼻パッドアセンブリ構造であって、
前記眼鏡フレームのブリッジは、上ブリッジ及び下ブリッジを有し、
前記ブリッジの中央部分に係止孔が設けられ、前記鼻パッドの両側には、前記眼鏡フレームの前記係止孔に嵌挿させる係合部が設けられ、前記係合部には、前記係止孔の外壁面に当接される係合片が突設され、前記鼻パッドの両側に設けられた前記係合部の下方には、パッド固定部が設けられ、前記パッド固定部には、前記下ブリッジの底縁に当接させる弧状突設部が設けられていることを特徴とする眼鏡鼻パッドアセンブリ構造。
【請求項２】
前記眼鏡フレームの前記係止孔の両側部には、前記鼻パッドの前記係合部を嵌入させる嵌合溝が凹設され、
前記嵌合溝には、嵌合ブロックが突設され、
前記係合部には、前記嵌合ブロックを嵌挿させる嵌合孔が設けられていることを特徴とする請求項１に記載の眼鏡鼻パッドアセンブリ構造。
【請求項３】
前記眼鏡フレームの前記下ブリッジの底縁の両側部には、前記鼻パッドの前記パッド固定部の前記弧状突設部に対応した当接部が突設されていることを特徴とする請求項１に記載の眼鏡鼻パッドアセンブリ構造。
【考案の詳細な説明】
【技術分野】
【０００１】
本考案は、眼鏡鼻パッドアセンブリ構造に関し、特に、ブリッジ部分を分離して上ブリッジと下ブリッジとに形成することにより、フレーム内にレンズを簡便に取り付けることができるようにし、フレームのブリッジ部分に鼻パッドを掛止し、分離されたブリッジ部分を確実に閉合させることができる眼鏡鼻パッドアセンブリ構造に関する。
【背景技術】
【０００２】
テレビ及びコンピュータの普及に伴い、近視になる人が徐々に増えるとともに近視になる低年齢化がすすみ、視力を矯正するために眼鏡を掛ける人が次第に増えてきている。一般に眼鏡は、購入者の様々な好みに対応するために、視力を矯正する基本的な機能以外に、組立ての際の利便性も求められる。
【０００３】
従来のフレーム付き眼鏡は、主にフレームの２つの側部フレームに開口が設けられ、フレームの２つの側部開口部に螺合部が溶接されている。この螺合部には、ネジ孔が設けられている。このネジ孔にはネジが螺合され、レンズを取り付ける際、レンズにより２つの側部フレームの開口が押し広げられるため、レンズ固定部の孔径がレンズより大きくなり、レンズ固定部内にレンズを取り付けた後、螺合部のネジ孔にネジを螺合させ、レンズフレームの両側部開口を締め付けてレンズとフレームとを組み合わせて一体化させる。
【０００４】
しかし、従来のフレーム付き眼鏡構造は、レンズを取り付けたり交換したりする際、ネジの着脱に時間がかかる。また眼鏡のネジは、非常に小さいため着脱が容易でない上、着脱には特定規格のドライバを使用する必要があり、ネジが非常に小さいため着脱の際十分注意しないと紛失する虞があるため非常に不便である。また、フレーム付き眼鏡を一定期間使用した場合、螺合部に螺合されたネジが、ユーザが眼鏡を掛けたり外したりする動作を繰り返したり、歩行などにより発生する振動によりネジが緩んでしまうことがある。もしユーザが緩んだネジを直ちに締め付けない場合、ネジが外れて紛失する虞があるが、ユーザは、眼鏡専用のドライバを携帯していないことが一般的であるため、緩んだネジを直ちに螺合させることができず、眼鏡を使用し続けることができなくなる虞がある。そのため、従来のフレーム付き眼鏡は、使用する際、ユーザに多大な面倒及び不便性をもたらすことがある。
【考案の概要】
【考案が解決しようとする課題】
【０００５】
本考案の目的は、メガネフレームとレンズとを組み合わせた後、鼻パッドによりレンズと眼鏡フレームとの組合せを固定することができる眼鏡鼻パッドアセンブリ構造を提供することにある。
【課題を解決するための手段】
【０００６】
上記課題を解決するために、本考案の第１の形態によれば、眼鏡フレーム及び鼻パッドを備える眼鏡鼻パッドアセンブリ構造であって、前記眼鏡フレームのブリッジは、上ブリッジ及び下ブリッジを有し、前記ブリッジの中央部分に係止孔が設けられ、前記鼻パッドの両側には、前記眼鏡フレームの前記係止孔に嵌挿させる係合部が設けられ、前記係合部には、前記係止孔の外壁面に当接される係合片が突設され、前記鼻パッドの両側に設けられた前記係合部の下方には、パッド固定部が設けられ、前記パッド固定部には、前記下ブリッジの底縁に当接させる弧状突設部が設けられていることを特徴とする眼鏡鼻パッドアセンブリ構造が提供される。
【０００７】
また、前記眼鏡フレームの前記係止孔の両側部には、前記鼻パッドの前記係合部を嵌入させる嵌合溝が凹設され、前記嵌合溝には、嵌合ブロックが突設され、前記係合部には、前記嵌合ブロックを嵌挿させる嵌合孔が設けられていることが好ましい。
【０００８】
また、前記眼鏡フレームの前記下ブリッジの底縁の両側部には、前記鼻パッドの前記パッド固定部の前記弧状突設部に対応した当接部が突設されていることが好ましい。
【考案の効果】
【０００９】
本考案の眼鏡鼻パッドアセンブリ構造は、眼鏡フレームにレンズを取り付けた後、分離したブリッジに鼻パッドを安定的に掛止させることにより、組立てが非常に簡単なため組立てにかかる時間を節約することができる。そのため、組立てを簡便かつ確実に行うことができる。
【図面の簡単な説明】
【００１０】
【図１】本考案の一実施形態による眼鏡鼻パッドアセンブリ構造を示す分解斜視図である。
【図２】本考案の一実施形態による眼鏡鼻パッドを示す展開図である。
【図３】本考案の一実施形態による眼鏡鼻パッドアセンブリ構造を示す斜視図である。
【図４】本考案の一実施形態による眼鏡鼻パッドアセンブリ構造を組立てたときの状態を示す断面図である。
【考案を実施するための形態】
【００１１】
図１を参照する。図１に示すように、本考案の一実施形態による眼鏡鼻パッドアセンブリ構造は、少なくとも眼鏡フレーム１及び鼻パッド２から構成される。
【００１２】
眼鏡フレーム１のブリッジ１１は、上ブリッジ１２及び下ブリッジ１３により構成されている。ブリッジ１１から眼鏡フレーム１の両側部にかけて、上ブリッジ１２と下ブリッジ１３により形成された２つのレンズ固定部１４が設けられている。ブリッジ１１には、係止孔１５が設けられている。係止孔１５の両側には、嵌合溝１５１がそれぞれ凹設され、凹設された嵌合溝１５１間に嵌合ブロック１５２が突設され、ブリッジ１１の下ブリッジ１３は、底縁の両側に当接部１６が突設されている。
【００１３】
図２を併せて参照する。鼻パッド２には、眼鏡フレーム１の係止孔１５に嵌挿させる係合部２１が両側に設けられている。係合部２１の上端部及び下端部には、係止孔１５の外壁面に係合させる係合片２１１が突設されている。係合片２１１の係合部２１に嵌合孔２１２を設け、係止孔１５の両側に設けた嵌合溝１５１に、２つの係合部２１をそれぞれ嵌挿させ、嵌合溝１５１間に突設された嵌合ブロック１５２を嵌合孔２１２に嵌挿させる。鼻パッド２の両側には、係合部２１の下方に位置するパッド固定部２２が設けられている。このパッド固定部２２には、下ブリッジ１３の底縁の両側に突設された当接部１６に当接させる弧状突設部２２１が設けられている。
【００１４】
図３及び図４を併せて参照する。図３及び図４に示すように、本実施形態の眼鏡鼻パッドアセンブリ構造は、眼鏡フレーム１のブリッジ１１が上ブリッジ１２及び下ブリッジ１３から構成され、本実施形態の眼鏡鼻パッドアセンブリ構造を実際に組み立てて使用する際、レンズ固定部１４内にレンズを容易に取り付けることができるように、上ブリッジ１２と下ブリッジ１３とを適宜な間隔に押し広げてレンズ固定部１４の孔径をレンズより大きくして、レンズ固定部１４内にレンズを取り付ける。
【００１５】
レンズをレンズ固定部１４に取り付けた後、ブリッジ１１のブリッジ１２，１３に加えていた力をリリースして閉合させる。その後、ユーザが鼻パッド２を取り出す際、鼻パッド２の両側に僅かな力を加えると、中間部に向かって鼻パッド２が圧縮されて僅かに変形し、上ブリッジ１２に設けられた係止孔１５内に係合部２１を嵌挿させることができる。この際、鼻パッド２の係合部２１の上端部及び下端部に突設されている係合片２１１は、係止孔１５の外壁面に当接され、鼻パッド２の両側に加えていた力がリリースされると、鼻パッド２の両側に設けられている係合部２１が復位し、係止孔１５の両側に設けた嵌合溝１５１に２つの係合部２１がそれぞれ嵌入され、係合部２１の嵌合孔２１２に、嵌合溝１５１に設けた嵌合ブロック１５２が嵌挿される。
【００１６】
鼻パッド２は、係合部２１を上ブリッジ１２に組み合わせ、係合部２１の下方に設けられたパッド固定部２２が下ブリッジ１３の底縁に当接され、パッド固定部２２に設けた弧状突設部２２１が、下ブリッジ１３の底縁の両側に突設された当接部１６に当接されることにより、上ブリッジ１２と下ブリッジ１３とに鼻パッド２が掛止され、眼鏡フレーム１のブリッジ１１に設けられた閉合状態のブリッジ１２，１３に固設され、ブリッジ１２，１３により形成されたレンズ固定部１４内にレンズを取り付け、眼鏡フレーム１へレンズを確実に組み合わせることができる。
【００１７】
上述したことから分かるように、本考案の眼鏡鼻パッドアセンブリ構造は、組立ての際にネジを全く使用する必要がないため、ネジにより螺合させる必要がない。そのため、ネジが外れたり紛失したりする問題がなく、組立て過程でドライバなどの工具を使用する必要もない。そのため、ドライバを購入するコストがかからない上、ドライバを携帯していないため、外れたフレームを直ちに締め付けられずに眼鏡を使用し続けることができなくなる虞はない。
【００１８】
上述したことから分かるように、本考案の眼鏡鼻パッドアセンブリ構造は、以下（１）〜（３）の長所を有する。
（１）眼鏡フレームのブリッジ部分が分離されて伸縮可能であるため、レンズ固定部内にレンズを固定してから、鼻パッドを分離した眼鏡フレームのブリッジに掛止してレンズと眼鏡フレームとを組み合わせるため、ネジにより螺合させる方式より便利である。
（２）眼鏡フレームのブリッジ部分を分離し、眼鏡フレームにレンズを取り付けた後、眼鏡フレームのブリッジに鼻パッドを直接掛止するため、ネジを全く使用する必要がない。これによりネジが着脱の際に紛失したり、着脱に特殊規格のドライバを使用する必要もない。
（３）眼鏡フレームのブリッジが分離された箇所に鼻パッドを掛止させると、組立て構造が非常に堅固となる上、全体の眼鏡構造をネジにより螺合させる必要がないため、ユーザが眼鏡を掛けたり外したりする行為を繰り返したり、歩行などにより発生する振動によりネジが緩んで眼鏡構造が損壊したりすることを防ぐことができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      眼鏡フレーム
２      鼻パッド
１１    ブリッジ
１２    上ブリッジ
１３    下ブリッジ
１４    レンズ固定部
１５    係止孔
１６    当接部
２１    係合部
２２    パッド固定部
１５１  嵌合溝
１５２  嵌合ブロック
２１１  係合片
２１２  嵌合孔
２２１  弧状突設部
【図１】
0003171876.tif 000003
【図２】
0003171876.tif 000004
【図３】
0003171876.tif 000005
【図４】
0003171876.tif 000006